(57)【要約】      （修正有）【課題】手軽に効率よく埃を除去できることはもちろん、小綺麗で装飾性を備え、しかも汚れが目に付かない構成とし、化粧台まわりや机の上などでも使用できる清掃具の提供。【解決手段】中央の取付け部に嵌装孔を有し取付け部から放射方向に複数の切線を形成してなる清拭布を複数枚積層し、上層側の前記嵌装孔から紐状部材を挿通するとともに下層側に設けた固定具で結束させることにより前記清拭布の積層体を花びら状に形成して基布部となし、この花びら状基布部と前記固定具に連結される柄部とからハタキを構成せしめ、更に前記花びら状基布部が出し入れ自在に収納される容器とを組み合わせた清掃具。【選択図】図１
2005319046.tif 000002
【特許請求の範囲】
【請求項１】
中央の取付け部に嵌装孔を有し取付け部から放射方向に複数の切線を形成してなる清拭布を複数枚積層し、上層側の前記嵌装孔から紐状部材を挿通するとともに下層側に設けた固定具で結束させることにより前記清拭布の積層体を花びら状に形成して基布部となし、この花びら状基布部と前記固定具に連結される柄部とからハタキを構成せしめ、更に前記花びら状基布部が出し入れ自在に収納される容器とを組み合わせたことを特徴とする清掃具。
【請求項２】
容器の上面に、中心部から周辺部に向かって多数の切込み線を有するシートが付設されていることを特徴とする請求項１に記載の清掃具。
【請求項３】
清拭布が一辺７〜１２ｃｍの方形であり、その６〜１０枚を交互に４５度の角度をずらして積層させたことを特徴とする請求項１又は２に記載の清掃具。
【請求項４】
清拭布の外周辺ならびに切線がジグザグ状を形成していることを特徴とする請求項１ないし３のいずれかに記載の清掃具。
【請求項５】
清拭布が、鉱物油を含有する化学雑巾であることを特徴とする請求項１ないし４のいずれかに記載の清掃具。
【発明の詳細な説明】
【技術分野】
【０００１】
本発明は、清掃具の改良に関するものである。
【背景技術】
【０００２】
従来、ハタキ状の清掃具については数多くの提案がある。例えば、実開平１−１１５４５８号公報には、縦長形状のシート状化学雑巾葉を複数重積して基布部となし、該基布部は一方の端部で柄部の断面コ字形の嵌着溝に固定され、該基布部の各化学雑巾葉は該固定された端部を残して長手方向に設けられた他方の端部に達する切込みにより、複数の穂先部に分割されているハタキが記載されている。このハタキは、短冊状の化学雑巾を用い埃の舞い上がりを防ぐようにしたもので、穂先部が柔らかく、壁や大型の家具等の清掃にしか適用できないものであった。
【０００３】
また、実開平５−３９４６１号公報は、柄の先端部に振払布を装着したハタキであって、振払布は用布の中央部に取付け部を設定してその中心部に嵌装孔を形成するとともに、用布には取付け部から放射方向へ複数の切線を形成し、該切線はジグザグ状に形成して前記嵌装孔には先端中央部にメネジ孔を有する固定具を嵌装し、前記柄の先端部に固定したオネジと螺合して一体としたハタキを開示している。
このハタキにおいても、穂先部は長い平面状に形成されているため、家具の桟などの角隅部に適用できても、化粧台まわりや机の上、あるいはパソコンの周囲など、小綺麗で装飾性が求められる場所にはマッチしないばかりか、捕埃性能が悪かった。また、埃が付着した振払布は、取り替えられるまで汚れたままであり、このようなハタキは、心理的にも見近かな目の届く場所に置きづらいものであった。
【特許文献１】実開平１−１１５４５８号公報
【特許文献２】実開平５−３９４６１号公報
【発明の開示】
【発明が解決しようとする課題】
【０００４】
本発明は、手軽に効率よく埃を除去できることはもちろん、小綺麗で装飾性を備え、しかも汚れが目に付かない構成とし、化粧台まわりや机の上などでも使用できる清掃具を提供することを目的とする。
【課題を解決するための手段】
【０００５】
上記課題を解決するため、本発明は以下の構成を採用する。
（１）中央の取付け部に嵌装孔を有し取付け部から放射方向に複数の切線を形成してなる清拭布を複数枚積層し、上層側の前記嵌装孔から紐状部材を挿通するとともに下層側に設けた固定具で結束させることにより前記清拭布の積層体を花びら状に形成して基布部となし、この花びら状基布部と前記固定具に連結される柄部とからハタキを構成せしめ、更に前記花びら状基布部が出し入れ自在に収納される容器とを組み合わせた清掃具。
（２）容器の上面に、中心部から周辺部に向かって多数の切込み線を有するシートが付設されている（１）に記載の清掃具。
（３）清拭布が一辺７〜１２ｃｍの方形であり、その６〜１０枚を交互に４５度の角度をずらして積層させた（１）又は（２）に記載の清掃具。
（４）清拭布の外周辺ならびに切線がジグザグ状を形成している（１）ないし（３）のいずれかに記載の清掃具。
（５）清拭布が、鉱物油を含有する化学雑巾である（１）ないし（４）のいずれかに記載の清掃具。
【発明の効果】
【０００６】
本発明の清掃具は、手軽に効率よく埃を除去できるうえ、小綺麗で装飾性を備え、しかも汚れが目に付かないので、化粧台まわりや机の上などでも最適に使用できるものである。
【発明を実施するための最良の形態】
【０００７】
本発明の清掃具は、清拭布の積層体を花びら状に形成した基布部及び柄部とから構成されるハタキと、その花びら状基布部が出し入れ自在に収納される容器とを組み合わせたことに特徴を有する。以下、図面に基づき、本発明の実施の形態を説明するが、図１はハタキ１の一例の断面図を、図２は容器２の一例の斜視図を示すものである。
【０００８】
図１に示すように、ハタキ１は、清拭布３の積層体を花びら状に形成した花びら状基布部４及び柄部５とから構成されている。ここで、花びら状基布部４は、清拭布３の積層体に紐状部材６を挿通するとともに固定具７で結束させることにより形成され、この固定具７は着脱自在に柄部５と連結されてハタキ１を構成する。
【０００９】
図３は、清拭布３の平面図を示す。
清拭布３は、中央の取付け部に嵌装孔８を有するとともに、取付け部から放射方向に複数の切線９を設け先端が切込み形状になっている。清拭布３の大きさや形状は限定されないが、一辺が７〜１２ｃｍ程度の方形状のものが使いやすく、本発明の目的に適している。
また、清拭布３の外周辺ならびに切線をジグザグ状に形成すれば、ジグザグ状の角が処理箇所の凹部に入り込み捕埃効率を高めるので好ましい。
清拭布３は、親水性繊維（レーヨン、パルプ等）や疎水性繊維（ポリエステル、ポリオレフィン等）を素材とする織布、不織布、あるいは薄様紙等を、好ましくは網状繊維を介して接着もしくは交絡させシート状に積層させたものが好適であり、幾分腰のあるいわゆる化学雑巾が用いられる。これに鉱物油、シリコーンオイル、界面活性剤等を適宜含浸させて捕埃性能を向上させることができるが、清拭布３に対して５重量％を超えて配合すると、処理面がベタついたり、電気機器類等に悪影響を及ぼすことがあるので好ましくない。
【００１０】
本発明では、清拭布３を複数枚、好ましくは６〜１０枚を積層し、上層側の嵌装孔８から紐状部材６を挿通するとともに下層側に設けた固定具７で結束させることにより清拭布３の積層体を花びら状に形成して花びら状基布部４を構成する。なお、方形状の清拭布３を積層するにあたり、交互に４５度の角度をずらして重ねると、立体感のある花びら形状が得られるので好ましい。
このような花びら状基布部４は、平面状の基布部に比べてより優れた捕埃性能を奏するとともに、装飾性やインテリア性にも富んでいるため、化粧台まわりや机の上などでも違和感なく使用できるものである。
【００１１】
紐状部材６や固定具７の素材は、通常プラスチック製のものが使いやすく、その形状は清拭布３の積層体の厚み等を考慮して適宜決定すればよい。なお、花びら状基布部４が十分に汚れきった場合は、これに固定具７を加えた部材を取り替え仕様に設計するのが一般的である。
また、固定具７に連結される柄部５も、任意の形状を選択でき、例えば、収納用の容器２を鉢に見立て、柄部５を草花や茎などに見立てて、本発明の清掃具全体を装飾品に仕上げることもできる。柄部５の素材はプラスチック製が適当であり、花びら状基布部４と固定具７を使い捨てにする場合は、柄部５と固定具７の連結手段を着脱自在に構成すればよい。
【００１２】
容器２は、花びら状基布部４を出し入れ自在に収納するためのもので、図４は収納した状態を示す断面図である。
容器２の上面には、図２に示すように、中心部の出し入れ孔１１から周辺部に向かって多数の切込み線１２を有するシート１０が付設されているが、かかる構成を採用することにより、シート１０を介して収納された花びら状基布部４は汚れが目につかず、本発明の清掃具の装飾性が損なわれない。また、シート１０の作用で、ハタキ１を直立に納めることができるうえ、花びら状基布部４の汚れをある程度容器２の中に払い取ることが可能となる。なお、シート１０の材質としては、花びら状基布部４の出し入れに耐えられ、かつ柔軟性を備えたプラスチックもしくは不織布板が好ましい。更に、前述の如く、容器２を例えば鉢に見立て、柄部５を草花や茎に見立てれば、装飾性のアップにも繋がるものである。
【００１３】
つぎに具体的実施例に基づいて、本発明の清掃具を更に詳細に説明する。
【実施例１】
【００１４】
一辺が９ｃｍの方形で、中央の取付け部に直径が４ｍｍの２個の嵌装孔８を有し取付け部から放射方向に１６本の切線９を形成してなる清拭布３を用いた。なお、清拭布３は鉱物油１％を含有し、清拭布３の外周辺ならびに切線９はジグザグ状に形成した。この同形の８枚の清拭布３を交互に４５度の角度をずらして積層させ、上層側の嵌装孔８から紐状部材６を挿通するとともに下層側に設けた固定具７で結束させることにより清拭布３の積層体を花びら状に形成して花びら状基布部４を構成した。しかる後、固定具７に、草花と茎を模した外径２ｃｍで長さが約７ｃｍのプラスチック製の柄部５を連結してハタキ１を作製した。
また、外径９ｃｍで高さが７ｃｍの円筒状の紙製容器を用い、上面に中心部の出し入れ孔１１から周辺部に向かって１０本の切込み線１２を有するプラスチック製シート１０を取り付けるとともに、鉢を模して収納用の容器２を作製し、ハタキ１と組み合わせて本発明の清掃具を得た。
【００１５】
この清掃具を化粧台に置いて使用したが、基布部４が花びら状に形成されているため捕埃性能が高く、しかも容器２のシート１０を介して出し入れする際に、花びら状基布部４の汚れをある程度容器２の中に払い取ることができた。更に、小綺麗で装飾性に富み、花びら状基布部４の汚れも容器２に収納すれば目につかず、装飾性が損なわれることはなかった。このように、本発明の清掃具は、化粧台まわりで違和感なく使用でき、極めて実用性の高いものであった。
【実施例２】
【００１６】
実施例１に準じて各種の清掃具を作製し、以下の項目について性能を評価した。その結果を表１に示す。
（１）捕埃性能：フロッピーディスクやＣＤディスクが多数並べられている収納棚で捕埃性能を調べ、○、△、×  で評価した。
（２）装飾性：事務机の上に置いて周囲にマッチするかどうかを、○、△、×  で評価した。
【００１７】
【表１】
2005319046.tif 000003
【００１８】
試験の結果、本発明の清掃具は、捕埃性能及び装飾性ともにすぐれ、事務机の上をはじめ、化粧台まわりなどで使用できる清掃具であることが認められた。なお、清拭布の仕様としては、外周辺ならびに切線をジグザグ状に形成したもの、清拭布が交互に４５度の角度をずらして積層されたもの、あるいは鉱物油を含有させたものがより好ましかった。
これに対し、容器を組み合わせない比較例１は、基布部の汚れが目につく点で装飾性が劣り、また容器への出しいれに伴う基布部の汚れの軽減を期待できない結果、実施例の清掃具ほど長期にわたり捕埃性能を持続できなかった。更に、実開平１−１１５４５８号公報のハタキ（比較例２）や実開平５−３９４６１号公報のハタキ（比較例３）は、周囲にマッチしないばかりか、捕埃性能が低く小物類を対象とする清掃具には不適であった。
【産業上の利用可能性】
【００１９】
本発明の清掃具は、化粧台まわりや机の上などで違和感なく使用できるものであり、これ以外の清掃分野でも実用化が可能である。
【図面の簡単な説明】
【００２０】
【図１】本発明の清掃具を構成するハタキの一例の断面図を示す。
【図２】本発明の清掃具を構成する容器の一例の斜視図を示す。
【図３】本発明の清掃具で用いる清拭布の平面図を示す。
【図４】花びら状基布部を収納した状態を示す断面図である。
【符号の説明】
【００２１】
１．ハタキ
２．容器
３．清拭布
４．花びら状基布部
５．柄部
６．紐状部材
７．固定具
８．嵌装孔
９．折線
１０. シート
１１. 出し入れ孔
１２. 切込み線
【図１】
2005319046.tif 000004
【図２】
2005319046.tif 000005
【図３】
2005319046.tif 000006
【図４】
2005319046.tif 000007